(57)【要約】      （修正有）【課題】部品点数を削減できて作業効率の良いバッテリー端子を提供する。【解決手段】バッテリーポストに外嵌する円弧状接続部２１の周方向における両端部２１Ａ、２１Ｂから延出し、互いに対向する一対の締結片部３０Ａ、３０Ｂと、締結片部同士を近接した状態で固定する固定部材５０とを備えたバッテリー端子であって、固定部材は各締結片部に設けられた挿通孔３１、３５に挿通される軸部５１と、軸部の一端に設けられ、挿通孔を挿通不能な軸頭部５３と、軸部の外周に設けられた複数の係止部５５とを有しており、係止部は軸部の他端側の径方向における差し渡し寸法Ｌ２が挿通孔の内径Ｒ３よりも小さく、他端側から一端側に向かって径方向外側に突出して、一端側の径方向における差し渡し寸法Ｌ１が挿通孔の内径Ｒ３よりも大きくなることで、他端側の締結片部３０Ｂの挿通孔３５の孔縁部に係止するバッテリー端子。【選択図】図３
2018120695.tif 000002
【特許請求の範囲】
【請求項１】
バッテリーの外面から突出するバッテリーポストに外嵌する円弧状接続部と、
円弧状接続部の周方向における両端部から延出し、互いに対向する一対の締結片部と、
前記締結片部同士を近接した状態で固定する固定部材とを備えたバッテリー端子であって、
前記固定部材は、
前記各締結片部に設けられた挿通孔に挿通される軸部と、
前記軸部の一端に設けられ、前記挿通孔を挿通不能な軸頭部と、
前記軸部の外周に設けられた複数の係止部とを有しており、
前記係止部は、前記軸部の他端側の径方向における差し渡し寸法が前記挿通孔の内径よりも小さく、前記他端側から前記一端側に向かって径方向外側に突出して、前記一端側の径方向における差し渡し寸法が前記挿通孔の内径よりも大きくなることで、他端側の前記締結片部の挿通孔の孔縁部に係止するバッテリー端子。
【請求項２】
前記挿通孔から前記締結片部の外縁部に向かってスリットが設けられている請求項１に記載のバッテリー端子。
【請求項３】
前記他端側の締結片部の前記挿通孔の孔縁部には、前記軸部の挿入方向に向かって縮径するように突出する突出部が設けられている請求項１または請求項２に記載のバッテリー端子。
【請求項４】
前記係止部は、前記軸部の全周に亘って設けられている請求項１から請求項３のいずれか一項に記載のバッテリー端子。
【請求項５】
一方の前記締結片部から他方の前記締結片部に向かって、前記締結片部間の距離を一定に保つためのスペーサ部が突設される請求項１から請求項４のいずれか一項に記載のバッテリー端子。
【発明の詳細な説明】
【技術分野】
【０００１】
本明細書に開示される技術は、バッテリー端子に関する。
【背景技術】
【０００２】
従来、車両に搭載されるバッテリーのバッテリーポストに取り付けられるバッテリー端子が知られている。例えば、特開２０１６−９１７８３号公報（下記特許文献１）のバッテリー端子では、バッテリーポストが挿入されるポスト挿入孔及びポスト挿入孔と連続するスリットが形成された環状部が設けられている。そして、この環状部の一端部からスリットを挟んで他端まで貫通して配置される貫通板を用いて、環状部のスリットの間隔を縮小する方向に環状部を押圧することで、バッテリー端子がバッテリーポストに接続されている。より具体的には、貫通板の一端側には、環状部からの抜け出しを防止する抜け止め部が設けられており、他端側には、締結ボルトがバッテリーポストの軸方向に締めこまれる締結孔が設けられている。そして、締結ボルトを締結孔に締めこむ力によって、締結ボルトを挿通させる第１スペーサと、第１スペーサに当接する第２スペーサを介して、環状部を縮径方向に押圧することで、バッテリー端子がバッテリーポストに取り付けられている。つまり、軸方向に沿った方向に締結ボルトを締め付ける力を、軸方向と交差する締め付け方向への押圧力に変換し、締結ボルトを締め付けるための作業スペースをバッテリーの上方として、バッテリーの側方の作業スペースを低減している。
【先行技術文献】
【特許文献】
【０００３】
【特許文献１】特開２０１６−９１７８３号公報
【発明の概要】
【発明が解決しようとする課題】
【０００４】
しかしながら、特開２０１６−９１７８３号公報（上記特許文献１）の構成では、力のかかる方向を変換するために、複数の部品を用いており、部品点数が多くなる。また、力のかかる方向を変換することで、力の変換ロスが発生し、作業効率が悪くなる。
【課題を解決するための手段】
【０００５】
本明細書で開示されるバッテリー端子は、バッテリーの外面から突出するバッテリーポストに外嵌する円弧状接続部と、円弧状接続部の周方向における両端部から延出し、互いに対向する一対の締結片部と、前記締結片部同士を近接した状態で固定する固定部材とを備えたバッテリー端子であって、前記固定部材は、前記各締結片部に設けられた挿通孔に挿通される軸部と、前記軸部の一端に設けられ、前記挿通孔を挿通不能な軸頭部と、前記軸部の外周に設けられた複数の係止部とを有しており、前記係止部は、前記軸部の他端側の径方向における差し渡し寸法が前記挿通孔の内径よりも小さく、前記他端側から前記一端側に向かって径方向外側に突出して、前記一端側の径方向における差し渡し寸法が前記挿通孔の内径よりも大きくなることで、他端側の前記締結片部の挿通孔の孔縁部に係止する。
【０００６】
このバッテリー端子では、円弧状接続部の両端部から延出した締結片部同士を近接させることで、円弧状接続部が縮径し、バッテリーポストに接続した状態となる。具体的には、固定部材の軸部の他端側から締結片部の挿通孔に固定部材の軸部を挿通させて、固定部材の軸部の一端に設けられた軸頭部が一端側の締結片部に当接する。また、他端側の締結片部は、バッテリーポストに接続可能な状態に円弧状接続部を縮径した位置まで、軸部及び係止部を挿通する。なお、この際に係止部が複数設けられていることで、バッテリーポストの径に合わせて固定位置を変更することができる。そして、固定部材の軸部の一端に設けられた軸頭部が一端側の締結片部と当接する一方で、他端側の締結片部の挿通孔の孔縁部が係止部によって係止されることで、締結片部が互いに離間する方向に開くのを防止して、円弧状接続部がバッテリーポストに接続した状態を維持する。このバッテリー端子では、固定部材のみで固定を行っているため、部品点数が少なくて済む。また、力がかかる方向と縮径方向とが同じになるため、力のロスが少なくなる。
【０００７】
本明細書に開示されるバッテリー端子の実施の態様として、以下の構成としてもよい。
前記挿通孔から前記締結片部の外縁部に向かってスリットが設けられている構成としても良い。
【０００８】
締結片部に挿通孔から外縁部に向かうスリットを設けることで、係止部が挿通孔を挿通する際に、締結片部の挿通孔が拡径する。このように、スリットを設けたことで、挿通孔の孔縁部が係止部を乗り越えやすくなり、締結片部の固定作業が容易になる。
【０００９】
また、前記他端側の締結片部の前記挿通孔の孔縁部には、前記軸部の挿入方向に向かって縮径するように突出する突出部が設けられている構成としても良い。
【００１０】
孔縁部に設けられた突出部が縮径するように突出していることで、突出部が係止部に係止した際の係止力が向上する。
【００１１】
また、前記係止部は、前記軸部の全周に亘って設けられている構成としても良い。
【００１２】
係止部が軸部の全周に亘って設けられることで、孔縁部に係止する面積が増加し、係止力が向上する。
【００１３】
また、一方の前記締結片部から他方の前記締結片部に向かって、前記締結片部間の距離を一定に保つためのスペーサ部が突設される構成としても良い。
【００１４】
一方の締結片部と他方の締結片部との間にスペーサ部が設けられることで、一方の締結片部と他方の締結片部との間にスペーサ部の寸法分の隙間が必ず設けられることになる。そのため、固定部材を取り外す際に、締結片部間に取り外し用の治具を挿入するスペースを確保することができる。
【発明の効果】
【００１５】
本明細書に開示されるバッテリー端子によれば、部品点数を削減することができる。
【図面の簡単な説明】
【００１６】
【図１】実施形態におけるバッテリー端子がバッテリーポストに接続される前の状態の斜視図
【図２】バッテリー端子がバッテリーポストに接続に接続される前の状態の平面図
【図３】図２の部分拡大図
【図４】バッテリー端子がバッテリーポストに接続に接続される前の状態の正面図
【図５】バッテリー端子がバッテリーポストに接続に接続される前の状態の側面図
【図６】バッテリー端子がバッテリーポストに接続に接続された状態の斜視図
【図７】バッテリー端子がバッテリーポストに接続に接続された状態の平面図
【図８】バッテリー端子がバッテリーポストに接続に接続された状態の正面図
【発明を実施するための形態】
【００１７】
＜実施形態＞
実施形態を図１から図８の図面を参照しながら説明する。
バッテリー端子１０は、バッテリーの外面から突出するバッテリーポストＰに対して、上から嵌合するようにして接続される。バッテリーポストＰは、鉛製であって、円柱形をしている。より具体的には、上方に向かって縮径した円錐台形状をなしている。以下の説明では、図４における上側を上側とし、図４における下側（バッテリー側）を下側として説明する。また、図２における左側を前側とし、図２における右側（電線接続部２５側）を後側とする。
【００１８】
本実施形態のバッテリー端子１０は、図１に示すように、導電性の金属板材をプレス加工することで形成された端子本体１５と、固定部材５０とを備えている。端子本体１５は、バッテリーポストＰに外嵌する円弧状接続部２１と、バッテリーに接続される電線が接続される電線接続部２５と、円弧状接続部２１の周方向における端部２１Ａ、２１Ｂから延出した一対の締結片部３０Ａ、３０Ｂとを一体に形成したものである。
【００１９】
円弧状接続部２１は、図１及び図２に示すように、その軸線が上下方向（バッテリーポストＰの軸線と平行な方向）になる円筒状をなしている。円弧状接続部２１の上下方向の寸法は、バッテリーポストＰの上下方向の寸法より若干小さくなっている。円弧状接続部２１の内径は、円錐台形状のバッテリーポストＰの外周に沿うように、上方に向かって次第に小さくなっている。また、円弧状接続部２１の周方向における一方の端部２１Ａと他方の端部２１Ｂとは、互いに離間している。また、電線接続部２５は、円弧状接続部２１の下端縁における後端部から後方へ延出したオープンバレル形状をなしている。電線接続部２５には、バッテリーに接続される電線の端末部が圧着される。
【００２０】
一対の締結片部３０Ａ、３０Ｂは、図１及び図３に示すように、円弧状接続部２１の一方の端部２１Ａから前方に延びる第１の締結片部３０Ａ（「一端側の締結片部」の一例）と、円弧状接続部２１の他方の端部２１Ｂから前方に延びる第２の締結片部３０Ｂ（「他端側の締結片部」の一例）とからなり、互いに平行な状態で対向している。締結片部３０Ａ、３０Ｂは、側面視矩形状の平板状となっている。また、締結片部３０Ａ、３０Ｂの上下方向の寸法は、円弧状接続部２１の上下方向の寸法と同じになっている。
【００２１】
第１の締結片部３０Ａの中央には、第１の挿通孔３１が設けられている。第１の挿通孔３１の内径Ｒ１は、図３に示すように、後記する固定部材５０の係止部５５の最も外側の差し渡し寸法Ｌ１よりも大きい。また、第１の締結片部３０Ａの前端部から第２の締結片部３０Ｂに向かって、スペーサ部３３が突設される。スペーサ部３３は、第１の締結片部３０Ａと第２の締結片部３０Ｂとの間を一定以上に保つためのものであって、締結片部３０Ａ、３０Ｂの板厚分（左右方向の寸法）程度の寸法分突出している。
【００２２】
第２の締結片部３０Ｂの中央には、第２の挿通孔３５が設けられている。第２の挿通孔３５の孔縁部は、後記する固定部材５０の軸部５１の挿入方向に向かって縮径するように突出する突出部３７が設けられている。第２の挿通孔３５の内面は、突出部３７の先端に向かって徐々に縮径するテーパー状となっており、第２の挿通孔３５の第１の締結片部３０Ａに近い側での内径が最大で、突出部３７の第１の締結片部３０Ａに遠い側での内径が最小となっている。第２の挿通孔３５の最大内径Ｒ２は、第１の挿通孔３１の内径Ｒ１と同じで、後記する固定部材５０の係止部５５の最大の差し渡し寸法Ｌ１よりも大きい。一方で、突出部３７の先端（第２の挿通孔３５の最小）の内径Ｒ３は、係止部５５の最大の差し渡し寸法Ｌ１よりも小さい。また、第１の挿通孔３１と第２の挿通孔３５と突出部３７は、同軸上に配されている。
【００２３】
そして、図５に示すように、第２の挿通孔３５から第２の締結片部３０Ｂの外縁部に向かってスリット３９が設けられている。スリット３９は、第２の挿通孔３５の孔縁から第２の締結片部３０Ｂの前端縁に亘って設けられており、第２の締結片部３０Ｂの前端部が上下方向に分割されている。また、スリット３９は、突出部３７にも連通して設けられている。
【００２４】
固定部材５０は、金属製もしくは耐熱性の樹脂で形成されており、図１及び図３に示すように、軸部５１と、軸頭部５３と、複数の係止部５５と、保護部５７を有している。固定部材５０は、金属製の場合には、樹脂製の場合よりも係止力の向上する一方で、樹脂製の場合には、金属製の場合よりも安価で軽量化できる。
【００２５】
軸部５１は、円柱状となっており、挿通孔３１、３５とに挿通される。軸部５１の後端部５１Ａには、後記する係止部５５が設けられておらず、後端部５１Ａの外径は、係止部５５が設けられている部分よりも拡径している。具体的には、軸部５１の後端部５１Ａの外径は、係止部５５の最大差し渡し寸法Ｌ１と同じになっている。また、軸部５１の左右方向の寸法は、バッテリーポストＰに接続する前の状態の締結片部３０Ａ、３０Ｂの間の寸法よりも大きい。
【００２６】
軸頭部５３は、軸部５１の一端に設けられ、平板状の側面視正方形状となっている。軸頭部５３の一辺の長さは、第１の挿通孔３１の内径Ｒ１よりも大きく、第１の挿通孔３１を挿通できない大きさとなっている。軸頭部５３の内面（軸部５１側の面）は、第１の締結片部３０Ａと当接する当接面５３Ａとなっている。
【００２７】
係止部５５は、軸部５１の外周に複数設けられており、軸部５１の前端部から後端部５１Ａの手前まで設けられている。係止部５５は、前端側が最小の差し渡し寸法Ｌ２となり、後端が最大の差し渡し寸法Ｌ１となるように、軸方向外側に突出して、徐々にその径が大きくなるテーパー状となっており、軸部５１と合わせて円錐台形状となっている。係止部５５の最大差し渡し寸法Ｌ１は、第１の挿通孔３１の内径Ｒ１及び第２の挿通孔３５の最大内径Ｒ２よりも小さく、第２の挿通孔３５の最小内径Ｒ３よりも大きい。係止部５５の最小差し渡し寸法Ｌ２は、第２の挿通孔３５の最小内径Ｒ３よりも小さい。なお、また、係止部５５の後端面が第２の挿通孔３５の孔縁部が係止する係止面５５Ａとなっている。
【００２８】
軸部５１の先端には、保護部５７が設けられている。保護部５７は、係止部５５とは逆向きのテーパー状をなしており、先端にいくほど拡径するようになっており、先端面の直径は、第１の挿通孔３１の内径Ｒ１及び係止部５５の最大差し渡し寸法Ｌ１よりも小さく、第２の挿通孔３５の最小内径Ｒ３よりも大きい。先端側で拡径する保護部５７が設けられることで、先端の係止部５５が、他のものと接触した際に欠損することを防止している。
【００２９】
本実施形態のバッテリー端子１０は、以上のような構成であって、続いてその作用を説明する。
バッテリー端子１０をバッテリーポストＰに接続する際には、図１及び図２に示すように、固定部材５０を仮保持位置に組み付けておく。具体的には、固定部材５０の先端にある保護部５７を第１の挿通孔３１に挿通させる。そして、軸部５１を後端部５１Ａまで第１の挿通孔３１に挿通させて、軸頭部５３が第１の締結片部３０Ａと当接するようにする。同時に、保護部５７と最も先端にある係止部５５を第２の挿通孔３５に挿通させる。この際に、第２の挿通孔３５の後端での内径（第２の挿通孔３５の最大内径Ｒ２）は、保護部５７及び係止部５５の外形寸法よりも大きいが、第２の挿通孔３５の内径は徐々に縮径するため、保護部５７の先端が、第２の挿通孔３５の内壁に接触する。この状態で、固定部材５０が第２の締結片部３０Ｂ側に押されることで、第２の締結片部３０Ｂのスリット３９が広がり、第２の挿通孔３５が広がることで、保護部５７が前方に推し進められる。そして、軸頭部５３の当接面５３Ａが第１の締結片部３０Ａと当接する一方で、保護部５７及び先端の係止部５５が第２の挿通孔３５に挿通された状態（仮保持位置）とされる。
【００３０】
固定部材５０が仮保持位置に組み付けられた状態では、円弧状接続部２１の最大内径は、バッテリーポストＰの最大内径よりも大きい。つまり、円弧状接続部２１をバッテリーポストＰに対して、上から外嵌したときに、スムーズに外嵌することができる。また、円弧状接続部２１とバッテリーポストＰとの間は、水平方向（バッテリーポストＰの軸方向と交差する平面方向）との間に隙間がある状態となっている。
【００３１】
そして、図４及び図５に示すように、締め付け治具Ｊを用いて、締結片部３０Ａ、３０Ｂ同士を近接させることで、円弧状接続部２１の内径を縮径させる。具体的には、締結片部３０Ａ、３０Ｂの外面を、上方もしくは正面側から差し込んだ締め付け治具Ｊで挟み込むようにして押さえる。なお、締め付け治具Ｊのうち、第２の締結片部３０Ｂを押さえる側の先端部は、第２の挿通孔３５及び固定部材５０を避けるように、二股に分かれており、締め付け治具Ｊは、第２の締結片部３０Ｂに直接あたるようになっている。
【００３２】
そして、締結片部３０Ａ、３０Ｂ同士を近接させるように、締め付け治具Ｊを締め付ける。すると、軸頭部５３が第１の締結片部３０Ａに当接している一方で、第２の締結片部３０Ｂが第１の締結片部３０Ａ側に移動する。具体的には、第２の挿通孔３５の内面のテーパー面に、係止部５５のテーパー面が接触することで、第２の挿通孔３５が拡径するようにスリット３９が上下方向に開く。そして、係止部５５が第２の挿通孔３５を挿通して、スペーサ部３３が第２の締結片部３０Ｂと当接する位置まで、締結片部３０Ａ、３０Ｂ同士が近接する。なお、この際に、締め付け治具Ｊによって力をかける方向と、締結片部３０Ａ、３０Ｂ同士が近接する方向が同じ向きのため、力のロスを最小限にすることができる。また、締め付け治具Ｊによって力のかかる方向が、バッテリーポストＰの軸線方向と交差する方向になっているため、円弧状接続部２１に対してバッテリーポストＰの軸方向に移動する力がかからず、バッテリーポストＰに対する円弧状接続部２１の軸線方向の取り付け位置がずれることが抑制される。
【００３３】
図６及び図７に示すように、締結片部３０Ａ、３０Ｂ同士が近接した状態では、軸頭部５３の当接面５３Ａが第１の締結片部３０Ａと当接する一方で、係止部５５の係止面５５Ａに突出部３７の先端面が当接して係止される。つまり、第１の締結片部３０Ａと第２の締結片部３０Ｂとは、固定部材５０の当接面５３Ａと係止面５５Ａに挟み込まれた状態で固定される。第１の締結片部３０Ａ側では、軸頭部５３が第１の挿通孔３１を挿通不能となっているため、第１の締結片部３０Ａと軸頭部５３との係止が解除される虞がない。また、第２の締結片部３０Ｂ側では、係止部５５の最大差し渡し寸法Ｌ１は、第２の挿通孔３５の最小内径Ｒ３よりも大きいため、第２の締結片部３０Ｂと係止部５５との係止が不用意に解除される虞がない。また、スペーサ部３３が第２の締結片部３０Ｂに当接することで、それ以上締結片部３０Ａ、３０Ｂが近接することなく、第１の締結片部３０Ａと第２の締結片部３０Ｂの間に所定の隙間を確保することができる。
【００３４】
締結片部３０Ａ、３０Ｂ同士が近接した状態では、円弧状接続部２１の端部２１Ａ、２１Ｂ同士も近接するため、円弧状接続部２１が縮径するように変形される。円弧状接続部２１が縮径すると、バッテリーポストＰの外周面に接触して、電気的に接続される。
【００３５】
そして、バッテリー端子１０をバッテリーポストＰから取り外す場合には、締結片部３０Ａ、３０Ｂの間の隙間に、解除するための治具を差し込んで、治具によって、締結片部３０Ａ、３０Ｂ同士の間が開くように、係止部５５を削りながら第２の挿通孔３５を挿通させる。そして、円弧状接続部２１の最大径がバッテリーポストＰの最大径よりも大きくなった段階で、バッテリーポストＰからバッテリー端子１０を取り外す。
【００３６】
以上のように、本実施形態では、円弧状接続部２１の両端部２１Ａ、２１Ｂから延出した締結片部３０Ａ、３０Ｂ同士を近接させることで、円弧状接続部２１が縮径し、バッテリーポストＰに接続した状態となる。具体的には、固定部材５０の軸部５１の保護部５７から第１の締結片部３０Ａの第１の挿通孔３１に固定部材５０の軸部５１を挿通させて、固定部材５０の軸部５１の一端に設けられた軸頭部５３が第１の締結片部３０Ａに当接する。また、第２の締結片部３０Ｂは、バッテリーポストＰに接続可能な状態に円弧状接続部２１を縮径した位置まで、軸部５１及び係止部５５を挿通する。この際に、係止部５５が複数設けられていることで、バッテリーポストＰの径に合わせて固定位置を変更することができる。そして、固定部材５０の軸部５１の一端に設けられた軸頭部５３が第１の締結片部３０Ａと当接する一方で、第２の締結片部３０Ｂの第２の挿通孔３５の孔縁部が係止部５５によって係止されることで、締結片部３０Ａ、３０Ｂが互いに離間する方向に開くのを防止して、円弧状接続部２１がバッテリーポストＰに接続した状態を維持する。このバッテリー端子１０では、固定部材５０のみで固定を行っているため、部品点数が少なくて済み、軽量化につながる。また、力がかかる方向と縮径方向とが同じになるため、力のロスが少なくなる。
【００３７】
＜他の実施形態＞
本明細書によって開示される技術は上記記述及び図面によって説明した実施形態に限定されるものではなく、例えば次のような種々の態様も含まれる。
（１）上記実施形態では、スリット３９が設けられていたが、スリットを設けず、固定部材の係止部が弾性変形するようにして、第２の挿通孔３５を挿通するようにしても良い。
【００３８】
（２）上記実施形態では、突出部３７が設けられていたが、突出部を設けなくても良い。
【００３９】
（３）上記実施形態では、係止部５５が軸部５１の全周に亘って設けられていたが、間があいていても良い。
【００４０】
（４）上記実施形態では、第１の締結片部３０Ａにスペーサ部３３が設けられていたが、設けられていなくても良い。また、第２の締結片部３０Ｂ側に設けられていても良い。
【００４１】
（５）上記実施形態では、スペーサ部３３に当接する位置まで、締結片部３０Ａ、３０Ｂ同士を近接させていたが、円弧状接続部２１がバッテリーポストＰと接続できれば、スペーサ部３３と第２の締結片部３０Ｂとの間に隙間が空いていても良い。
【００４２】
（６）上記実施形態では、バッテリー端子１０への電線の接続は、電線接続部２５に電線を直接圧着することで行っていたが、電線の先端に取り付けられた丸端子等を固定可能なボルトを電線接続部の位置に立設するようにしても良い。
【符号の説明】
【００４３】
１０…バッテリー端子
１５…端子本体
２１…円弧状接続部
３０Ａ…第１の締結片部（一端側の締結片部）
３０Ｂ…第２の締結片部（他端側の締結片部）
３１…第１の挿通孔（一端側の挿通孔）
３３…スペーサ部
３５…第２の挿通孔（他端側の挿通孔）
３７…突出部
３９…スリット
５０…固定部材
５１…軸部
５１Ａ…後端部
５３…軸頭部
５３Ａ…当接面
５５…係止部
５５Ａ…係止面
５７…保護部
Ｐ…バッテリーポスト
Ｒ１…第１の挿通孔の内径
Ｒ２…第２の挿通孔の最大内径
Ｒ３…第２の挿通孔の最小内径
Ｌ１…係止部の最大差し渡し寸法（一端側の径方向における差し渡し寸法）
Ｌ２…係止部の最小差し渡し寸法（他端側の径方向における差し渡し寸法）
Ｊ…締め付け治具
【図１】
2018120695.tif 000003
【図２】
2018120695.tif 000004
【図３】
2018120695.tif 000005
【図４】
2018120695.tif 000006
【図５】
2018120695.tif 000007
【図６】
2018120695.tif 000008
【図７】
2018120695.tif 000009
【図８】
2018120695.tif 000010